(57)【要約】      （修正有）【課題】揚穀選別機において、袋詰作業スペースを広くすることができ、オーバフロー排出作用を円滑に行わせることにより、揚穀搬送、選別作用の詰りをなくして、余裕ある袋詰作業を行うことができる選別米シュータを提供する。【解決手段】傾斜立設の揚穀選別筒１内を揚穀しながら選別する揚穀選別機において、前記揚穀選別筒１の下端部に選別屑米を受けて屑米袋Ａへ供給する屑米シュータ２を設け、この揚穀選別筒１の上端部には選別米を受けて選別米袋Ｂへ供給する選別米シュータ３を設け、この選別米シュータ３の中間部には、前記屑米袋Ａ口上部にのぞむオーバフロー口４を形成したことを特徴とする選別シュータの構成とする。【選択図】図１
2009240877.tif 000002
【特許請求の範囲】
【請求項１】
傾斜立設の揚穀選別筒（１）内を揚穀しながら選別する揚穀選別機において、前記揚穀選別筒（１）の下端部に選別屑米を受けて屑米袋（Ａ）へ供給する屑米シュータ（２）を設け、この揚穀選別筒（１）の上端部には選別米を受けて選別米袋（Ｂ）へ供給する選別米シュータ（３）を設け、この選別米シュータ（３）の中間部には、前記屑米袋（Ａ）口上部にのぞむオーバフロー口（４）を形成したことを特徴とする選別シュータ。
【請求項２】
前記選別米シュータ（３）に二段傾斜の底面（５），（６）を形成し、これら傾斜底面（５），（６）間の段部にオーバフロー口（４）を開口したことを特徴とする請求項１に記載の揚穀選別機の選別シュータ。
【請求項３】
前記選別米シュータ（３）の下端部に把持変形可能のフレキシブル筒（８）を連設すると共に、このフレキシブル筒（８）を支持して揺動可能の支持体（９）を設けたことを特徴とする請求項１、又は２に記載の揚穀選別機の選別シュータ。
【発明の詳細な説明】
【技術分野】
【０００１】
揚穀選別機の選別シュータに関するもので、玄米等の穀粒を揚穀しながら、この揚穀案内する揚穀選別筒内で、屑米や、糠類等を選別除去するものである。玄米の選別作業では、主選別機で比較的粒径の大きい大米を選別した中米を、この揚穀選別機で揚穀しながら、中米と屑米等とに再選別しながら袋詰処理させる形態として有効に利用できる。
【背景技術】
【０００２】
傾斜選別筒内に沿って設けるスクリュウの回転により、玄米を上端の排出シュータへ搬送しながら、選別筒の周部から漏下する屑米と、排出シュータへ排出する整粒米とに選別し、これら選別筒と、排出シュータの下側に、各別に収容する容器を配置した技術（例えば、特許文献１参照）が知られている。
【特許文献１】実公平８−１０３７１号公報（図１）
【発明の開示】
【発明が解決しようとする課題】
【０００３】
揚穀選別機は、揚穀筒を形成した揚穀機として機能を持つものであるから、揚穀筒径は比較的小さく、かつ揚程も低く制限され易い。従って、その揚穀口下に配置の穀粒受袋口も低位となり、袋口が満杯状態になり易く、オーバフローし易いものである。又、この揚穀口下に複数の袋を配置して切替供給することも、袋の配置、乃至作業スペースが狭く制限されて難しい。
【課題を解決するための手段】
【０００４】
請求項１に記載の発明は、傾斜立設の揚穀選別筒１内を揚穀しながら選別する揚穀選別機において、前記揚穀選別筒１の下端部に選別屑米を受けて屑米袋Ａへ供給する屑米シュータ２を設け、この揚穀選別筒１の上端部には選別米を受けて選別米袋Ｂへ供給する選別米シュータ３を設け、この選別米シュータ３の中間部には、前記屑米袋Ａ口上部にのぞむオーバフロー口４を形成したことを特徴とする選別シュータの構成とする。玄米が揚穀選別筒１内を揚送されるとき、この選別網部から屑米が外周部へ漏下して、この揚穀選別筒１下端部の屑米シュータ２から流下排出される。又、揚穀選別筒１内を揚送される選別米は、上端部の選別米シュータ３から流下排出される。これら選別米、屑米は各選別粒シュータ３、屑粒シュータ２にのぞまされた選別米袋Ｂ、屑米袋Ａに供給収容される。このとき、選別米袋Ｂの収容量が満杯状態になると、この選別米袋Ｂ袋替えを行うが、この袋替を行わないときは、シュータ３から供給される選別米Ｂの貯留上面がこのシュータ３内を上昇して、この選別米袋Ｂ口部よりも上方位置にあるオーバフロー口４から、隣接位置に設置の屑米袋Ａ口に流下供給されて、一部の選別米が屑米シュータ２から供給される選別米を共に屑米袋Ａに袋詰される。
【０００５】
請求項２に記載の発明は、前記選別米シュータ３に二段傾斜の底面５，６を形成し、これら傾斜底面５，６間の段部にオーバフロー口４を開口したことを特徴とする。前記のように選別米が選別米シュータ３を流下して選別袋Ｂ内に供給されるとき、このシュータ３の傾斜底面５，６は段部を形成するため、上位の傾斜底面５を流下する選別米は、この段部に形成のオーバフロー口４から流出することなく、飛び越えるように流下して、下位の傾斜底面６上を流下案内して選別米袋Ｂ内へ収容される。又、この選別米袋Ｂが満杯になった後もシュータ３による選別米供給作用が行われるときは、このシュータ３内を上昇される選別米貯留上面が、このシュータ３の下段の傾斜底面６上に停滞するようになり、上段の傾斜底面５から流下される選別米はこの段部に開口のオーバフロー口４から直接外部へ排出される。
【０００６】
請求項３に記載の発明は、前記選別米シュータ３の下端部に把持変形可能のフレキシブル筒８を連設すると共に、このフレキシブル筒８を支持して揺動可能の支持体９を設けたことを特徴とする。前記選別米シュータ３を流下される選別米は、支持体９で支持されたフレキシブル筒８内を流下して選別米袋Ｂ内に収容される。このときフレキシブル筒８に選別米重量が働いても、このフレキシブル筒８の支持体９により供給姿勢が維持される。又、選別米袋Ｂが満杯になって袋替え作業するときは、一時このフレキシブル筒８を把持閉鎖して選別米の流下を停止することができる。又、このフレキシブル筒８を隣接の袋口等へ移すときは、支持体９と一体的に把持して移動、乃至揺動することができ、選別米の漏れをなくして的確な袋替えを行うことができる。
【発明の効果】
【０００７】
請求項１に記載の発明は、選別米シュータ３から選別米袋Ｂに供給収容させる選別米を、この選別米シュータ３中間部のオーバフロー口４まで一時的に貯留させて、後続排出の選別米をこのオーバフロー口４から隣接配置の屑米袋Ａ内へ供給させるため、構成が簡単であり、選別米シュータ３にのぞませて配置する選別米袋Ｂを単一袋として、袋詰作業するスペースを広くすることができる。又、このオーバフロー口４から後続排出の選別米を直接排出するため、このオーバフロー排出作用を円滑に行わせることができ、揚穀選別筒１内への干渉をなくして、揚穀搬送、選別作用の詰りをなくして安全を図ることができ、余裕ある袋詰作業を行うことができる。
【０００８】
請求項２に記載の発明は、前記選別シュータ３内底部に、三段傾斜の底面５，６間の段部にオーバフロー口４を形成するため、構成が簡単であり、この選別米シュータ３から袋詰供給するときは、上段部の傾斜底面５から下段部の傾斜底面６へ流下する選別米は、この段部のオーバフロー口４を跳び越えるように流下供給されてオーバフロー口４からの排出をなくすことができ、選別米袋Ｂ満杯時のこの選別米シュータ３からのオーバフロー時には、このシュータ３内をオーバフロー口４部にまで上昇した選別米貯留面上から、直接このオーバフロー口４を経て流下排出するため、上段部の傾斜底面５上の選別詰りをなくして、正確な排出を行わせることができる。
【０００９】
請求項３に記載の発明は、選別米シュータ３及びフレキシブル筒８を経て流下供給される選別米は、選別米袋Ｂに的確に、円滑に供給収容される。このフレキシブル筒８が支持体９で支持されているため、この柔いフレキシブル筒８の選別米袋Ｂに対する供給姿勢を安定させることができ、流下案内される選別米の重量等によってフレキシブルチューブが垂れ下ったり、折り畳まれるようなことがなく、選別米詰りや、選別米袋口からの離脱等をなくして正確な供給を維持することができる。又、この選別米袋Ｂの満杯時に、このフレキシブル筒８、及びシュータ３内に貯留された選別米がオーバフロー口４から排出される場合でも、正確にオーバフロー排出を行わせることができる。又、袋替え等を行うとき、このフレキシブル筒８を手で把持して、揚穀選別して排出される選別米の流下排出を一時停止することができ、この把持したフレキシブル筒８を支持体９と共に移動、乃至揺動することができ、袋替操作を容易化でき、構成を簡単化することができる。
【発明を実施するための最良の形態】
【００１０】
図例に基づいて、揚穀選別機は、基台１０上に適宜傾斜角度Ｃに立設の揚穀筒１１と、この上部の揚穀選別筒１とを有し、これら揚穀筒１１、及び揚穀選別筒１内に沿って、揚穀螺旋１２を軸装し、基台１０下側のモータ１３によって回転し、揚穀筒１１下端に設ける供給漏斗１４に供給する玄米を揚穀しながら、途中の揚穀選別筒１部で屑米を選別排除し、選別米を上端の揚穀口１５から選別米シュータ３を介して取出排出させる。この揚穀選別機は、隣接床面に配置の主選別機１６の選別口１７下に、前記供給漏斗１４をのぞませて、この主選別機１６で粒径の大きい大米を選別させた残りの中米、小米、乃至屑米や、糠類等を受けて、揚穀しながら再選別するものである。この主選別機１６は、選別ケース１８の内部に、縦形円筒形状の選別筒の内部に螺旋を形成した螺旋胴を回転させて、この螺旋胴の回転によって選別筒内を搬送しながら、玄米をこの選別筒の外周部に漏下させる中米、乃至小米、屑米等と、選別筒内に残る大米とに選別して、この大米は上端の選別口１９から排出し、中米等を下側の選別口１７から排出させるものである。
【００１１】
ここにおいてこの揚穀選別機の選別シュータは、傾斜立設の揚穀選別筒１内を揚穀しながら選別する揚穀選別機において、前記揚穀選別筒１の下端部に選別屑米を受けて屑米袋Ａへ供給する屑米シュータ２を設け、この揚穀選別筒１の上端部には選別米を受けて選別米袋Ｂへ供給する選別米シュータ３を設け、この選別米シュータ３の中間部には、前記屑米袋Ａ口上部にのぞむオーバフロー口４を形成したことを特徴とする選別シュータの構成とする。玄米が揚穀選別筒１内を揚送されるとき、この選別網部から屑米が外周部へ漏下して、この揚穀選別筒１下端部の屑米シュータ２から流下排出される。又、揚穀選別筒１内を揚送される選別米は、上端部の選別米シュータ３から流下排出される。これら選別米、屑米は各選別粒シュータ３、屑粒シュータ２にのぞまされた選別米袋Ｂ、屑米袋Ａに供給収容される。このとき、選別米袋Ｂの収容量が満杯状態になると、この選別米袋Ｂ袋替えを行うが、この袋替を行わないときは、シュータ３から供給される選別米Ｂの貯留上面がこのシュータ３内を上昇して、この選別米袋Ｂ口部よりも上方位置にあるオーバフロー口４から、隣接位置に設置の屑米袋Ａ口に流下供給Ｒされて、一部の選別米が屑米シュータ２から供給される選別米を共に屑米袋Ａに袋詰される。
【００１２】
又、前記選別米シュータ３に二段傾斜の底面５，６を形成し、これら傾斜底面５，６間の段部にオーバフロー口４を開口したことを特徴とする。前記のように選別米が選別米シュータ３を流下して選別袋Ｂ内に供給されるとき、このシュータ３の傾斜底面５，６は段部を形成するため、上位の傾斜底面５を流下する選別米は、この段部に形成のオーバフロー口４から流出することなく、飛び越えるように流下して、下位の傾斜底面６上を流下案内して選別米袋Ｂ内へ収容される。又、この選別米袋Ｂが満杯になった後もシュータ３による選別米供給作用が行われるときは、このシュータ３内を上昇される選別米貯留上面が、このシュータ３の下段の傾斜底面６上に停滞するようになり、上段の傾斜底面５から流下される選別米はこの段部に開口のオーバフロー口４から直接外部へ排出される。
【００１３】
更には、前記選別米シュータ３の下端部に把持変形可能のフレキシブル筒８を連設すると共に、このフレキシブル筒８を支持して揺動可能の支持体９を設けたことを特徴とする。前記選別米シュータ３を流下される選別米は、支持体９で支持されたフレキシブル筒８内を流下して選別米袋Ｂ内に収容される。このときフレキシブル筒８に選別米重量が働いても、このフレキシブル筒８の支持体９により供給姿勢が維持される。又、選別米袋Ｂが満杯になって袋替え作業するときは、一時このフレキシブル筒８を把持閉鎖して選別米の流下を停止することができる。又、このフレキシブル筒８を隣接の袋口等へ移すときは、支持体９と一体的に把持して移動、乃至揺動することができ、選別米の漏れをなくして的確な袋替えを行うことができる。
【００１４】
前記揚穀筒１１と揚穀選別筒１は、内部に揚穀螺旋１２軸２０を軸装して、下端部のモータ１３で回転することにより、下部の供給漏斗１４から供給される穀粒を揚穀案内するように比較的小径の形態に構成される。この上半分の揚穀選別筒１は、外周部に選別網目としての目抜筒形態から構成され、この外周部に屑米等を漏出させる選別室２１を形成して、カバー２２で覆う構成としている。この屑米選別室２１の下端部に屑米シュータ２を設けて、この揚穀選別筒１の直下部に設置する屑米袋Ａに落下供給することができる。又、この揚穀選別筒１の上端部に開口する揚穀口１５の下側には選別米シュータ３を適宜長さ、及び傾斜角度に突出させて、この先端部にビニール等からなるフレキシブル筒８を適宜長さに設け、このフレキシブル筒８をのぞませる選別米袋Ｂを、この下方に設置する。２４は軸２０の軸受メタルである。
【００１５】
前記選別米シュータ３内部には、上下二段の樋状形態の傾斜底面５，６を配置形成して、これら上部の傾斜底面５と下部の傾斜底面６との間の段差Ｈ部を開口してオーバフロー口４を形成している。このオーバフロー口４の下側には前記屑米袋Ａ口部上にのぞむシュータを設けることも可能である。前記上部の傾斜底面５の傾斜角度に対して、下部の傾斜底面６の傾斜角度を急角度に形成している。又、これら上部傾斜底面５の下端縁と、下部傾斜底面６の上端縁との間に、若干の間隔Ｗを形成して、前記上部底面５から下部底面６側への穀米の飛び越え流下、及び、オーバフロー時の上部底面５から流下する選別米のオーバフローを正確に行わせる形態に構成している。
【００１６】
前記フレキシブル筒８は、選別米シュータ３の下端口部２５に連結して、このフレキシブル筒８選別米袋Ｂ口部内に介入させて、選別米の流下供給を行わせる。フレキシブル筒８は透明のビニール素材等で構成され、内部の選別米が目視可能であることが好ましいが、特に透明素材に限定するものではなく、把持した際袋Ｂへの供給を一時的に閉鎖可能であれば良い。又、この選別米シュータ３口部２５に設ける支持体９は、ピアノ線材や、薄板材等の弾性材から形成することも可能で、弾性材によって方向自在に屈曲可能に構成したり、取付部ヒンジ２６の周りに前後方向、乃至左右方向に回動可能に構成している。このフレキシブル筒８をのぞませる選別米袋Ｂを交換するときは、揚穀作用中であっても、このフレキシブル筒８を把持して一時閉鎖した状態で袋Ｂから空袋Ｂ１へ振替えてのぞませることができ、一旦選別米の排出を止めて、漏粒のない正確な袋替えを行うことができる。又、袋替えや、フレキシブル筒８を振替え移動して把持を解放したときは、支持体９がこのフレキシブル筒８の姿勢位置を維持して、安定した供給姿勢を保持させることができる。
【図面の簡単な説明】
【００１７】
【図１】揚穀選別機の側面図。
【図２】その選別米シュータ部の拡大側面図。
【図３】その支持体部の斜視図。
【符号の説明】
【００１８】
１    揚穀選別筒
２    屑米シュータ
３    選別米シュータ
４    オーバフロー口
５    傾斜底面（上）
６    傾斜底面（下）
８    フレキシブル筒
９    支持体
Ａ    屑米袋
Ｂ    選別米袋
【図１】
2009240877.tif 000003
【図２】
2009240877.tif 000004
【図３】
2009240877.tif 000005